(57)【特許請求の範囲】
【請求項１】
ワイヤハーネスの幹線の一端から分岐される４本以上の複数の枝線を、他の枝線に対する相対位置をそれぞれ特定して結束する電線保持具であって、
柱体の外周に前記枝線の本数と同数の円弧状に窪ませた位置決め凹部を周方向に間隔をあけて設け、各位置決め凹部に１本の前記枝線の少なくとも一部を嵌合し、これら枝線の外周にテープを巻き付けて結束するものとし、
前記柱体はウレタン、発泡スチロール、ゴムあるいはエラストマーからなる弾性材で形成し、該柱体の長さは前記テープの幅以上とし、かつ、
前記柱体は断面多角形の頂点部分に前記位置決め凹部を設けた形状とし、各位置決め凹部の大きさは嵌合する枝線の外径と対応させ、大径枝線用は大きな円弧状凹部、小径枝線用は小さい円弧状凹部としている電線保持具。
【発明の詳細な説明】
【技術分野】
【０００１】
本発明は電線保持具に関し、詳しくは、ワイヤハーネスの幹線から分岐させた４本以上の枝線の相対位置を特定すると共に、該枝線の配索方向も一定方向に規制するものである。
【背景技術】
【０００２】
自動車に配索されるワイヤハーネスでは、例えば、図５のように、幹線１の一端から複数の枝線２ａ、２ｂ、２ｃを分岐させ、該枝線２ａ、２ｂ、２ｃの先端をそれぞれ異なる位置の相手側接続部３ａ、３ｂ、３ｃに接続している。［特開平１１−２３４８７１号公報（特許文献１）参照］。
【０００３】
一方、ワイヤハーネスを自動車に配索した際に、幹線１から分岐させた複数の枝線２ａ、２ｂ、２ｃの周囲に外部干渉材（図示せず）が配置されている場合には、該外部干渉材との接触を防止するために、図６のように、所要長さ領域の枝線２ａ、２ｂ、２ｃをテープ等で結束して、枝線２ａ、２ｂ、２ｃの他の枝線に対する相対位置を特定すると共に該枝線２ａ、２ｂ、２ｃの配索方向を一定方向に規制している。幹線から分岐させる枝線の本数が２本または３本の場合には、図７（Ａ）、（Ｂ）のように、枝線２ａ、２ｂ（２ｃ）の外周にテープＴを巻き付けて結束するだけで、枝線２ａ、２ｂ（２ｃ）の他の枝線に対する相対位置を特定できると共に配索方向を一定方向に規制できるため、枝線２ａ、２ｂ（２ｃ）を外部干渉材に接触させることなく相手側接続部にそれぞれ接続することが可能となる。
【０００４】
一方、幹線から分岐させる枝線の本数が４本以上になると、枝線の外周への一度のテープ巻き結束で各枝線の相対位置を特定することが難しい。例えば、幹線から分岐させる枝線２ａ、２ｂ、２ｃ、２ｄの本数が４本の場合に、テープ（Ｔ）巻き結束により各枝線２ａ、２ｂ、２ｃ、２ｄの相対位置を図８（Ａ）に示すような結束断面形状になるように特定すべきところを、結束工程において各枝線２ａ、２ｂ、２ｃ、２ｄの相対位置が変わって結束断面が図８（Ｂ）に示す形状となったり、図８（Ｃ）に示す形状になったりして、枝線２ａ、２ｂ、２ｃ、２ｄの結束状態にバラつきが生じやすいという問題がある。結束状態にバラつきが生じると、自動車への配索時に枝線が外部干渉材に接触してしまう場合もあるため、所定断面形状を有する成形プロテクタ（図示せず）を前記４本以上の枝線に取り付け、該成形プロテクタにより各枝線の配索方向の規制および相対位置の特定を行わざるを得ない場合もある。しかし、前記成形プロテクタを用いると製造コストが増大するという問題がある。
【先行技術文献】
【特許文献】
【０００５】
【特許文献１】特開平１１−２３４８７１号公報
【発明の概要】
【発明が解決しようとする課題】
【０００６】
本発明は、製造コストを増大させる成形プロテクタを用いることなく簡単なテープ巻き結束のみで、ワイヤハーネスの幹線から分岐させた４本以上の枝線の相対位置を特定できると共に各枝線の配索方向も一定方向に規制できることを課題としている。
【課題を解決するための手段】
【０００７】
前記課題を解決するため、本発明は、ワイヤハーネスの幹線の一端から分岐される４本以上の複数の枝線を、他の枝線に対する相対位置をそれぞれ特定して結束する電線保持具であって、
柱体の外周に前記枝線の本数と同数の円弧状に窪ませた位置決め凹部を周方向に間隔をあけて設け、各位置決め凹部に１本の前記枝線の少なくとも一部を嵌合し、これら枝線の外周にテープを巻き付けて結束するものとし、
前記柱体はウレタン、発泡スチロール、ゴムあるいはエラストマーからなる弾性材で形成し、該柱体の長さは前記テープの幅以上とし、かつ、
前記柱体は断面多角形の頂点部分に前記位置決め凹部を設けた形状とし、各位置決め凹部の大きさは嵌合する枝線の外径と対応させ、大径枝線用は大きな円弧状凹部、小径枝線用は小さい円弧状凹部としている電線保持具を提供している。
【０００８】
本発明の電線保持具には、ワイヤハーネスの幹線の一端から分岐される４本以上の複数の枝線の相対位置を特定するために、枝線を１本ずつ位置決めする、円弧状に窪ませた位置決め凹部を柱体の外周に間隔をあけて設けている。したがって、枝線の結束工程において、作業者が前記電線保持具の位置決め凹部に枝線の少なくとも一部分を嵌合させ、該電線保持具上に配置した枝線の外周にテープ巻きを行うだけで、各枝線の相対位置がおのずと特定されると共に各枝線の配索方向も一方向（柱体の軸線方向）に規制できる。また、結束する複数の枝線の内周側に前記柱体状の電線保持具を配置することで、枝線外周への安定したテープ巻き結束が可能となり、結束力を高め、結束作業性も高めることができる。
【０００９】
即ち、前記電線保持具を用いることにより、結束する作業者が変わっても簡単なテープ巻き結束のみで４本以上の枝線を所定の均一な結束断面形状に結束することができ、結束工程における結束状態のバラつきをなくすことができる。よって、成形プロテクタを用いなくても各枝線を外部干渉材との接触から保護することができ、安価な押出成形で製造できる本発明の電線保持具を用いることにより、製造コストの増大も抑えることができる。
【００１０】
前記のように、前記柱体はウレタン、発泡スチロール、ゴムあるいはエラストマーからなる弾性材で形成し、該柱体の長さは前記テープの幅以上とし、かつ、
前記柱体は断面多角形の頂点部分に前記位置決め凹部を設けた形状とし、各位置決め凹部の大きさは嵌合する枝線の外径と対応させ、大径枝線用は大きな円弧状凹部、小径枝線用は小さい円弧状凹部としている。
【００１１】
前記のように、電線保持具を構成する柱体をウレタン、発泡スチロール、ゴムあるいはエラストマーからなる弾性材で形成することにより、枝線が柱体の角部等に当接しても該枝線が損傷することがなく、また、該柱体に設けた位置決め凹部と該位置決め凹部に嵌合する枝線との密着性を高めることができるため、より安定したテープ巻き結束が可能となる。
【００１２】
また、前記構成によれば、例えば４本の枝線を前記電線保持具で保持してテープ巻き結束する場合には、断面四角形の柱体の４つの頂点部分に４本の枝線をそれぞれ嵌合させる位置決め凹部が設けられ、５本の枝線を前記電線保持具で保持してテープ巻き結束する場合には、断面五角形の柱体の５つの頂点部分に５本の枝線をそれぞれ嵌合させる位置決め凹部が設けられる。このように、結束する枝線本数が多くなるにつれ、位置決め凹部を設ける断面多角形の頂点部分の内角も大きくなるため、該頂点部分に設ける位置決め凹部と嵌合する枝線との接触面積を十分確保することができる。よって、結束する枝線本数が多くなっても安定したテープ巻き結束が可能となる。
【００１３】
さらに、大径の枝線を嵌合させる位置決め凹部は大きな円弧状凹部とし、小径の枝線を嵌合させる位置決め凹部は小さい円弧状凹部とすることで、結束する枝線の外径が異なっても安定したテープ巻き結束が可能となる。また、位置決め凹部の大きさを嵌合する枝線の外径と対応させることで、作業者は各枝線を嵌合させる位置決め凹部を容易に見分けることができるため、各枝線の相対位置を正確に特定することができる。
また、類似する径の枝線がある時、位置決め凹部の大きさは同等となるため、各枝線とそれぞれ対応する位置決め凹部を見分けることが困難となる。そのため、位置決め凹部の円弧内側部に識別用の目印、例えば、細溝をそれぞれ異なる本数で入れることで、各枝線を嵌合させる位置決め凹部を簡単に見分けることができるようにし、各枝線を所要位置に配置できるようにすることが好ましい。
【発明の効果】
【００１４】
前述したように、本発明の電線保持具は、ワイヤハーネスの幹線の一端から分岐される４本以上の複数の枝線の相対位置を特定するために、枝線を１本ずつ位置決めする円弧状の位置決め凹部を柱体の外周に間隔をあけて設けている。したがって、枝線の結束工程において、作業者が前記電線保持具の位置決め凹部に枝線を嵌合させ、該電線保持具上に配置した枝線の外周にテープ巻きを行うだけで、各枝線の相対位置がおのずと特定されると共に各枝線の配索方向も一定方向に規制できる。また、結束する複数の枝線の内周側に前記柱体状の電線保持具を配置することで、枝線外周への安定したテープ巻き結束が可能となり結束力を高め、結束作業性も高めることができる。
【００１５】
即ち、前記電線保持具を用いることにより、結束する作業者が変わっても、簡単なテープ巻き結束のみで４本以上の枝線を所定の均一な結束断面形状に結束することができ、結束工程における結束状態のバラつきをなくすことができる。よって、成形プロテクタを用いなくても各枝線を外部干渉材との接触から保護することができ、安価な押出成形で製造可能な本発明の電線保持具を用いることにより、製造コストの増加を抑えることができる。
【図面の簡単な説明】
【００１６】
【図１】第１実施形態で用いる電線保持具の斜視図である。
【図２】（Ａ）は電線保持具を用いて幹線の一端から分岐される４本の枝線をテープ巻き結束している状態を示す斜視図であり、（Ｂ）は（Ａ）のＡ−Ａ線断面図である。
【図３】第２実施形態において、幹線の一端から分岐される５本の枝線を、電線保持具を用いてテープ巻き結束している状態を示す断面図である。
【図４】第３実施形態において、幹線の一端から分岐される異なる外径を有する４本の枝線を、電線保持具を用いてテープ巻き結束している状態を示す断面図である。
【図５】従来例を示す図面である。
【図６】従来例を示す図面である。
【図７】従来例を示す図面である。
【図８】従来例を示す図面である。
【発明を実施するための形態】
【００１７】
以下、本発明の実施形態を図面を参照して説明する。
図１および図２は本発明の第１実施形態を示している。本実施形態では、図２に示すように、自動車に配索するワイヤハーネスＷ／Ｈの幹線２０の一端２０Ａから４本の枝線２１ａ、２１ｂ、２１ｃ、２１ｄを分岐させている。本実施形態では、ワイヤハーネスＷ／Ｈを自動車に配索したとき、分岐位置（幹線の一端）２０Ａから所定範囲Ｒの枝線２１ａ、２１ｂ、２１ｃ、２１ｄの周囲に外部干渉材（図示せず）が配置される。よって、該外部干渉材との接触を防止するために、前記範囲Ｒ内の枝線２１ａ、２１ｂ、２１ｃ、２１ｄを図１に示す電線保持具１０を用いてテープ（Ｔ）巻き結束して枝線２１ａ、２１ｂ、２１ｃ、２１ｄの他の枝線に対する相対位置を特定すると共に枝線２１ａ、２１ｂ、２１ｃ、２１ｄの配索方向を一方向に規制している。テープ（Ｔ）巻き結束した枝線２１ａ、２１ｂ、２１ｃ、２１ｄの先端側は、図示しないが、前記外部干渉材との接触のおそれがなくなった位置で相手側接続部に向けてそれぞれ異なる方向に本分岐させている。なお、本実施形態では、４本の枝線２１ａ、２１ｂ、２１ｃ、２１ｄの外径は同程度としている。
【００１８】
電線保持具１０は、図１に示すような柱体からなり、該柱体の外周に、枝線２１ａ、２１ｂ、２１ｃ、２１ｄの一部分を嵌合させて位置決めする円弧状に窪ませた４個の位置決め凹部１１ａ、１１ｂ、１１ｃ、１１ｄを周方向に間隔をあけて設けている。電線保持具１０の柱体は、弾性体であるウレタン、発泡スチロール、ゴムあるいはエラストマーの押出成形品であり、断面正方形の頂点部分１２ａ、１２ｂ、１２ｃ、１２ｄにほぼ同サイズの円弧状の位置決め凹部１１ａ、１１ｂ、１１ｃ、１１ｄをそれぞれ設けている。
【００１９】
前記４個の位置決め凹部１１ａ〜１１ｄは同サイズとしているため、４本の枝線を４つの位置決め凹部１１ａ〜１１ｄのいずれに嵌合させれば良いかが不明となる。よって、位置決め凹部の内周面に識別用目印となる細溝を設けている。具体的には、位置決め凹部１１ａに２本の細溝１１ｅ、位置決め凹部１１ｂに３本の細溝１１ｇ、位置決め凹部１１ｃには細溝を設けず、位置決め凹部１１ｄに１本の細溝１１ｆを設けている。これにより、枝線２１ａ〜２１ｄを嵌合させる位置決め凹部１１ａ〜１１ｄを簡単に判断できるようにしている。
【００２０】
電線保持具１０の位置決め凹部１１ａ、１１ｂ、１１ｃ、１１ｄに、枝線２１ａ、２１ｂ、２１ｃ、２１ｄをそれぞれ嵌合させ、位置決め凹部１１ａ、１１ｂ、１１ｃ、１１ｄに保持された枝線２１ａ、２１ｂ、２１ｃ、２１ｄの外周に、片面に粘着層を設けた塩化ビニル製のテープＴを巻き付けて結束している。なお、電線保持具１０の柱体の長さは、枝線２１ａ、２１ｂ、２１ｃ、２１ｄの位置規制および方向規制を行う必要のある長さＲに応じて適宜設定できるが、安定したテープ巻き結束を行うために巻き付けるテープＴの幅（約２０ｍｍ）より長くしている。
【００２１】
前記のように、本実施形態の電線保持具１０は、ワイヤハーネスＷ／Ｈの幹線２０の一端２０Ａから分岐される４本の枝線２１ａ、２１ｂ、２１ｃ、２１ｄの他の枝線に対する相対位置を特定するために、枝線２１ａ、２１ｂ、２１ｃ、２１ｄを１本ずつ位置決めする円弧状に窪ませた位置決め凹部１１ａ、１１ｂ、１１ｃ、１１ｄを柱体の外周に間隔をあけて設けている。したがって、枝線２１ａ、２１ｂ、２１ｃ、２１ｄの結束工程において、作業者が電線保持具１０の位置決め凹部１１ａ、１１ｂ、１１ｃ、１１ｄに枝線２１ａ、２１ｂ、２１ｃ、２１ｄを嵌合させ、電線保持具１０上に配置した枝線２１ａ、２１ｂ、２１ｃ、２１ｄの外周にテープ巻きを行うだけで、各枝線２１ａ、２１ｂ、２１ｃ、２１ｄの相対位置がおのずと特定されると共に各枝線２１ａ、２１ｂ、２１ｃ、２１ｄの配索方向も一定方向に規制できる。また、結束する枝線２１ａ、２１ｂ、２１ｃ、２１ｄの内周側に前記柱体状の電線保持具１０を配置することで、枝線２１ａ、２１ｂ、２１ｃ、２１ｄの外周への安定したテープ巻き結束が可能となり結束力を高め、結束作業性も高められる。
【００２２】
即ち、前記電線保持具１０を用いることにより、結束する作業者が変わっても、簡単なテープ巻き結束のみで４本の枝線２１ａ、２１ｂ、２１ｃ、２１ｄを図２（Ｂ）に示すような均一な結束断面形状に結束することができ結束工程における結束状態のバラつきをなくすことができる。よって、成形プロテクタを用いなくても各枝線２１ａ、２１ｂ、２１ｃ、２１ｄを外部干渉材との接触から保護することができ、安価な押出成形で製造できる本実施形態の電線保持具１０を用いることにより、製造コストの増加を抑えることができる。
【００２３】
図３は第２実施形態を示している。
第２実施形態では、ワイヤハーネスＷ／Ｈの幹線の一端から５本の枝線４１ａ、４１ｂ、４１ｃ、４１ｄ、４１ｅを分岐させ、電線保持具３０の柱体の外周に、前記５本の枝線４１ａ、４１ｂ、４１ｃ、４１ｄ、４１ｅをそれぞれ嵌合させる５つの位置決め凹部３１ａ、３１ｂ、３１ｃ、３１ｄ、３１ｅを周方向に間隔をあけて設けている点以外は第１実施形態と同様としている。電線保持具３０の柱体には、断面五角形の頂点部分３２ａ、３２ｂ、３２ｃ、３２ｄ、３２ｅにほぼ同サイズの円弧状の位置決め凹部３１ａ、３１ｂ、３１ｃ、３１ｄ、３１ｅをそれぞれ設けている。
【００２４】
第２実施形態においても、幹線から分岐させる５本の枝線４１ａ、４１ｂ、４１ｃ、４１ｄ、４１ｅの結束に電線保持具３０を用いることにより、結束する作業者が変わっても、簡単なテープ巻き結束のみで５本の枝線４１ａ、４１ｂ、４１ｃ、４１ｄ、４１ｅを図３に示すような均一な結束断面形状に結束することができ結束工程における結束状態のバラつきをなくすことができる。また、第１実施形態より結束する枝線本数が多くなっても、位置決め凹部３１ａ、３１ｂ、３１ｃ、３１ｄ、３１ｅを設けた断面五角形の頂点部分３２ａ、３２ｂ、３２ｃ、３２ｄ、３２ｅの内角も大きくなるため、該位置決め凹部３１ａ、３１ｂ、３１ｃ、３１ｄ、３１ｅと、嵌合する枝線４１ａ、４１ｂ、４１ｃ、４１ｄ、４１ｅとの接触面積を十分確保して安定したテープ巻き結束が可能となる。
該第２実施形態においても、位置決め凹部３１ａ〜３１ｅの円弧が同等であれば、第１実施形態と同様に識別用目印となる細溝等を設けている。
【００２５】
図４は第３実施形態を示している。
第３実施形態では、幹線から分岐させる４本の枝線６１ａ、６１ｂ、６１ｃ、６１ｄの外径を相違させ、枝線６１ａの外径を最大とする一方、枝線６１ｄの外径を最小としている。また、電線保持具５０の位置決め凹部５１ａ、５１ｂ、５１ｃ、５１ｄの大きさは幹線から分岐させる４本の枝線６１ａ、６１ｂ、６１ｃ、６１ｄの外径に対応させ、最大外径を有する枝線６１ａを嵌合する位置決め凹部５１ａの大きさを最大とする一方、最小外径を有する枝線６１ｄを嵌合する位置決め凹部５１ｄの大きさを最小としている。その他の点は第１実施形態と同様としている。
【００２６】
前記のように、大径の枝線６１ａを嵌合させる位置決め凹部５１ａは大きな円弧状凹部とし、小径の枝線６１ｄを嵌合させる位置決め凹部５１ｄは小さい円弧状凹部とすることで、結束する枝線６１ａ、６１ｂ、６１ｃ、６１ｄの外径が異なっても安定したテープ巻き結束が可能となる。また、位置決め凹部５１ａ、５１ｂ、５１ｃ、５１ｄの大きさを嵌合する枝線６１ａ、６１ｂ、６１ｃ、６１ｄの外径と対応させることで、作業者は各枝線６１ａ、６１ｂ、６１ｃ、６１ｄを嵌合させる位置決め凹部５１ａ、５１ｂ、５１ｃ、５１ｄを容易に見分けることができるため、各枝線６１ａ、６１ｂ、６１ｃ、６１ｄの相対位置を正確に特定することができる。
【符号の説明】
【００２７】
１０、３０、５０  電線保持具
１１、３１、５１  位置決め凹部
２０  幹線
２１、４１、６１  枝線
Ｔ  テープ
【図１】
0005729205.tif 000002
【図２】
0005729205.tif 000003
【図３】
0005729205.tif 000004
【図４】
0005729205.tif 000005
【図５】
0005729205.tif 000006
【図６】
0005729205.tif 000007
【図７】
0005729205.tif 000008
【図８】
0005729205.tif 000009